(57)【要約】【課題】  既に建築されている建物の窓に簡単に、容易に取付けることができ、それも窓障子を屋外側に開放するタイプの開き窓にも採用可能であり、さらに洗浄も容易で、しかも安価な網戸を提供する。【解決手段】  網戸は、線条体で構成されたネットが被取付窓に対応する所定形状に裁断され、該所定形状のネットが布体で縁取りされて形成されており、該縁取りされた部分の窓側に位置する一面側と被取付窓の周囲の枠部との間に着脱自在に取付可能な取付手段が設けられ、網戸を取付手段により窓に着脱自在に取付可能とする。【選択図】  図１
2006125119.tif 000002
【特許請求の範囲】
【請求項１】
線条体で構成されたネットが被取付窓に対応する所定形状に裁断され、該所定形状のネットが布体で縁取りされて形成されており、該縁取りされた部分の窓側に位置する一面側と被取付窓の周囲の枠部との間に着脱自在に取付可能な取付手段が設けられ、該取付手段により窓に着脱自在に取付可能としたことを特徴とする網戸。
【請求項２】
前記ネットの適所には開閉手段で開閉可能なスリットが設けられていることを特徴とする請求項１記載の網戸。
【請求項３】
前記縁取りした部分には、装飾体が設けられていることを特徴とする請求項１または２記載の網戸。
【請求項４】
前記取付手段は、ファスナー、面ファスナー、接着、吸着、磁着及びホックボタンのいずれかである請求項１乃至３のいずれかに記載の網戸。
【請求項５】
前記開閉手段は、ファスナー、面ファスナー、ボタン、ホックボタンのいずれかである請求項２記載の網戸。
【請求項６】
前記開閉手段で開閉可能なスリットは、飾りにより隠されていることを特徴とする請求項２記載の網戸。
【発明の詳細な説明】
【技術分野】
【０００１】
この発明は、虫が入るのを防ぎ涼を取るために、窓に設ける網戸に関し、特に、窓障子を屋外側に開放するタイプの開き窓に適用して最適な網戸に関する。
【背景技術】
【０００２】
窓構造が左右にスライドする引き戸式の場合は、網戸もスライド式に設けることができるので窓障子の外側又は内側に容易に設けることができるし、網戸の開閉も自由であるので、通気や視界の確保も容易である。
これに対し、窓を屋外側に開放するタイプの開き窓（片開き及び両開きを含む。）の場合は、障子を屋外側に開くため網戸を屋外側に配することはできない。また、屋内側に網戸を配することも難しい。網戸を組み付けると、障子の開閉ができなくなるからである。
図１４は窓障子１１を屋外側に開放するタイプの窓構造を示す斜視図で、（ａ）が片開きの窓１０、（ｂ）が両開きの窓１０を示している。この図９（ａ）（ｂ）から窓障子１１を屋外側に開くため網戸を屋外側に配することができず、網戸を屋内側に組み付けると、窓障子１１の開閉ができなくなることがよく理解できる。
そこで、このような課題を解決するものとして、窓障子は屋外側に向かって回動自在に配し、網戸は屋内側に回動するように設け、この窓障子と網戸とを連動して、かつ拡開角度を調整して開閉できるリンク構造の連結部材で連結した片開き窓ユニットが提供された（例えば、特許文献１参照）。
【特許文献１】特開２００１−３４９１５９号公報
【発明の開示】
【発明が解決しようとする課題】
【０００３】
しかしながら、前記従来の片開き窓ユニットは、建築の最初から窓に組み付けるものであり、既に建築されている窓に採用するには新たに大変な組付け工事が必要となるため容易には採用できない課題がある。
また、費用の点でも構成上どうしても高価となる不利もある。
さらに、従来の網戸は、ネットがアルミニウム等のサッシに固定されて窓に取付けられているために、ネットが汚れても容易に洗浄できない課題がある。
この発明は、このような点に鑑みてなされたものであり、その目的は、既に建築されている建物の窓に簡単、容易に取付けることができ、それも窓障子を屋外側に開放するタイプの開き窓にも採用可能であり、さらに洗浄も容易で、しかも安価な網戸の提供にある。
【課題を解決するための手段】
【０００４】
前記課題を解決するため、この発明の網戸は、線条体で構成されたネットが被取付窓に対応する所定形状に裁断され、該所定形状のネットが布体で縁取りされて形成されており、該縁取りされた部分の窓側に位置する一面側と被取付窓の周囲の枠部との間に着脱自在に取付可能な取付手段が設けられ、該取付手段により窓に着脱自在に取付可能としたことを特徴とする。
前記取付手段としては、ファスナー、面ファスナー、接着、吸着、磁着及びホックボタン等を例示できる。
【０００５】
これにより網戸は、窓に容易に取付けることができる。例えば、ネットの縁取り部の一面に雄の面ファスナーを設け、被取付窓の枠部に雌の面ファスナーを設け、この面ファスナーにより網戸は、着脱自在に容易に取付けることができる。しかもこの網戸によれば、既に建築されている建物の窓でも、窓障子を外側に開放するタイプの開き窓でも採用可能となる。また、網戸は着脱自在であるので、取外して容易に洗浄することができる。さらに、ネットを縁取りしただけの構成であるので安価に提供できる。
この発明の線条体は、天然繊維であっても合成樹脂であってもよいが、耐久性、耐候性等を考慮すると合成樹脂が好ましい。合成樹脂の線条体でネットを形成し、布体で縁取りする構成だと、柔軟性、可撓性に富み、洗浄も容易となるので好ましい。ネットのメッシュは、使用する場所で任意であるが、粗いと小さい虫が入る可能性もあるので、通気性が確保できる範囲で細い方が好ましい。
なお、この発明の網戸の縁取りは、ネットの周縁面の一面側だけの場合と、両面側に亘る場合とがある。従って、この発明で縁取りされた部分の窓側に位置する一面側とは、縁取りが一面側だけの場合は、その縁取りされた部分に対応する位置の窓側面のネットの部分を示す。
【０００６】
また、この発明の網戸の前記ネットの適所には、開閉手段で開閉可能なスリットが設けられていることを特徴とする。
前記スリットの開閉手段は、ファスナー、面ファスナー、ボタン及びホックボタンを例示できる。
これによりスリットは、開閉手段で開口したり、閉じたりすることができる。従って、窓障子を開閉したい時は、開閉手段でスリットを開口し、このスリットより手を差し入れることによって窓障子を開閉することができる。それ以外の時は、虫が入らないようにスリットは開閉手段で閉じておく。この開閉手段で開閉可能なスリットは、縦方向に設けても、横方向に設けてもよい。例えば、屋外側に開放するタイプの開き窓の場合は、スリットは縦方向が望ましく、左右にスライドする引き戸式の場合は、スリットは横方向に設けるのが望ましいからである。
また、この開閉手段で開閉可能なスリットは、フリル等の飾りで隠すようにするのが好ましい。これによりスリット及び開閉手段が露出することなく、景観を損ねることがなくなると共に、室内の美化に貢献できる。
【０００７】
さらに、この発明の網戸の前記縁取りした部分には、装飾体が設けられていることを特徴とする。
これにより網戸の美感を向上させることができ、窓に使用したとき室の景観を損ねることなく、窓を美しく飾ることができる。
【発明の効果】
【０００８】
この発明の網戸によれば、次のような効果を奏する。
（１）網戸は、着脱自在の取付手段により窓に容易に取付けることができる。着脱自在の取付手段は、ファスナー、面ファスナー及びホックボタン等であるので、例えば、ネットの縁取りした一面に雄の面ファスナーを設け、被取付窓の枠部に雌の面ファスナーを設け、この面ファスナーにより網戸は、着脱自在に容易に取付けることができる。この面ファスナーは、接着や両面テープ等により網戸及び窓の所定部位に簡単に設けることができる。
（２）この発明の網戸によれば、既に建築されている窓でも、窓を外側に開放するタイプの開き窓でも使用できる。
【０００９】
（３）網戸は、着脱自在であるので、取外して容易に洗浄することができ、常に清潔にしておくことができる。また、ネットを縁取りしただけの構成なので、安価となる。特にネットは天然繊維や合成樹脂の線条体で構成され、布体で縁取りした構成にすると、柔軟性、可撓性に富み洗浄も容易となるし、より安価となる。
（４）この発明の網戸には、開閉手段で開閉可能なスリットが設けられているので、窓を開閉したい時は、開閉手段でスリットを開口し、このスリットより手を差し入れることによって窓障子を容易に開閉することができ、それ以外の時は、虫が入らないようにスリットは開閉手段で閉じておくことができる。開閉手段は、ファスナー、面ファスナー、ボタン及びホックボタン等であるので、スリットの開閉も容易にできる。
（５）開閉手段で開閉可能なスリットは、飾りにより目隠しされているので、スリット及び開閉手段が露出せず景観を損ねることがなく、美化に貢献できる。
【００１０】
（６）この発明の網戸の布体で縁取りした部分には、装飾体が設けられているので、網戸の美感を向上させることができ、窓に使用したとき室の景観を損ねることなく、窓を美しく飾ることができる。
また、この発明の網戸は、天然繊維や合成樹脂の線条体でネットを形成し、そのネットを布体で縁取りした構成であるので、ネットや布体は任意の色彩のものが選択可能であり、しかも窓に着脱自在であるので、室の色調や季節によってデザインや色彩の異なるものと自由に取り替えることができる。また、装飾体の異なる網戸と自由に変更できる。
【発明を実施するための最良の形態】
【００１１】
網戸は、天然繊維や合成樹脂等の線条体で構成されたネットが、被取付窓に対応する所定形状に裁断され、該所定形状のネットが布体で縁取りされて形成されており、該縁取りされた一面側と被取付窓の周囲の枠部との間に着脱自在に取付可能な取付手段が設けられ、前記網戸は取付手段により窓に着脱自在に取付可能となっている。
この網戸のネットの適所には、開閉手段で開閉可能なスリットが設けられている。
以下、この発明の実施例を図面について詳細に説明する。
【実施例１】
【００１２】
図１はこの発明の実施例１を示す網戸の斜視図、図２はこの発明の実施例１を示す網戸の分解斜視図、図３はこの発明の実施例１の使用状態を示す斜視図、図４はこの発明の実施例１の使用状態を示す部分拡大斜視図、図５はこの発明の実施例１のスリットの使用状態を示す部分斜視図である。
【００１３】
この網戸１は、線条体で形成されたネット２が布体で縁取り３されて構成されている。ネット２を形成する線条体は、天然繊維や合成樹脂で構成したものを例示できるが、耐久性、耐候性等を考慮すると合成樹脂が好ましい。ネット２のメッシュは、使用する場所で任意であるが、粗いと小さい虫が入る可能性もあるので、虫の侵入を阻止できる範囲まで細かくするのが好ましい。いずれにしても通気性は確保されなければならない。ネット２は、使用する被取付窓１０に対応する所定形状に裁断されており、被取付窓１０に合致して取り付けられるようになっている。本例では被取付窓１０が屋外側に片開きの窓障子１１ａで示しており、矩形状であるため、ネット２もそれに対応し矩形状となっている。
また、縁取りする布体は、特に制限はなく選択するのは任意であるが、耐久性の高いものが好ましい。布体としては、織布、不織布、ゴム布、皮布、等を例示でき、使用する場所や室等の雰囲気を考慮して適宜選択すればよい。中でも耐久性の点から合成樹脂製の織布を好ましいものとして例示できる。
【００１４】
前記縁取り３には、装飾体としての飾り４が設けられている。この飾り４は、必ずしも必要ではないが、設けると網戸１の美感を向上させることができ、窓１０に使用したとき室の美観を損ねることなく、窓１０を美しく飾ることができるので望ましい。この飾り４は、任意なものを採用し得るが、使用する室にマッチするものが好ましい。飾り４としては、花飾り、玉飾り及びフリル等を挙げることができる。本例では花飾りで示している。この飾り４は縁取り３と一体に形成して設けても、別体で形成し縁取り３に取付けて設けてもよい。
この網戸１は、ネット２の色、縁取り３の色及び飾り４の形状、色によって意匠が変化する。ネット２は線条体で形成され、縁取り３は布体で形成されているので、ネット２及び縁取り３は、使用する線条体の色や布体によって、その色彩は自由に選択できる。既製のものでは選択自由である。また、飾り４の形状や色も自由に選択できる。従って、網戸１は、使用する窓、室の雰囲気、季節等によって、マッチした適宜の意匠（デザイン）のものに形成し使用するようにする。
【００１５】
さらに、この網戸１は、ネット２の適所に、開閉手段６で開閉可能なスリット５が設けられている。このスリット５は、図５に示すように窓障子１１ａを開閉する時に、手を差し入れて窓障子１１ａを開閉するためのものである。従って、スリット５が設けられるネット２の適所とは、窓障子１１ａの取手１２がある位置と対応する位置などの、窓障子１１ａの開閉に最適な位置のことである。本例では窓障子１１ａが屋外側に開放するタイプの開き窓であるので、スリット５は縦方向に設けられている
このスリット５には開閉手段６が設けられており、スリット５は開閉手段６で開口したり、閉じたりすることができるようになっている。これにより窓障子１１ａを開閉したい時は、開閉手段６でスリット５を開口し、このスリット５より手を差し入れることによって窓障子１１ａを開閉することができ、それ以外の時（常用時）は、スリット５を閉じて虫等が入らないようにしておくことができる。この開閉手段６で開閉可能なスリット５は、フリル等の飾り（図示省略）で目隠しするのが好ましい。これによりスリット５及び開閉手段６が露出せず、景観を損ねることなく、室内の美化に貢献できる。
この開閉手段６としては、ファスナー、面ファスナー、ボタン及びホックボタン等を例示できる。図示の本例では、開閉手段６をファスナーで示している。
【００１６】
また、この網戸１は、縁取り３された部分の一面側（窓側に位置する面）と被取付窓１０の周囲の枠部１３との間に、網戸１を着脱自在に取付可能な取付手段７が備えられ、取付手段７により被取付窓１０に着脱自在に取付可能となっている。前記取付手段７は、面ファスナー、ファスナー、接着、吸着、磁着及びホックボタン等を挙げることができる。本例では面ファスナー７ａ、７ｂで示している。
即ち、網戸１の縁取り３した一面側に雄又は雌の面ファスナー７ａを設け、窓１０の枠部１３に雌又は雄の面ファスナー７ｂを設けた構成を示している。従って、網戸１は、この面ファスナー７ａ、７ｂによって窓１０に容易に着脱自在に取付けることができる。面ファスナー７ａの網戸１への取付けは、接着及び縫い付け等の手段が好ましく、面ファスナー７ｂの窓１０の枠部１３への取付けは、接着が好ましい。接着の場合は、接着テープを使用すると簡単で有効である。
【００１７】
一例を図２に示す。図２はこの発明の実施例１を示す網戸の分解斜視図である。まず、ネット２の一面側の周縁面に沿って接着テープ（両面テープ）８ａが接着され、この接着テープ８ａに飾り４の付いた布体３ａが接着されて縁取り３され、ネット２の他面側の周縁面に沿って面ファスナー７ａが接着テープ８ｂで接着される。一方、被取付窓１０の周囲の枠部１３には、面ファスナー７ｂが接着テープ８ｃで接着される。符号９は、接着テープ８ｃの離型紙を示している。この一例に示すように網戸１は、簡単に製造して、容易に窓１０に取付けることができる。
この例では、縁取り３はネット２の一面側だけの場合であるが、これはネット２の両面に亘ってもよいことは当然である。本例のように縁取り３がネット２の一面側だけの場合は、ネット２の他面側に縁取り３が存在しない。この発明で、「縁取りされた部分の窓側に位置する一面側と被取付窓の周囲の枠部との間に着脱自在に取付可能な取付手段が設けられ、」とは、縁取り３がネット２の周縁面の両面に亘っている場合で示している表現であるが、この発明では縁取り３がネット２の一面側だけに設けられている場合も包含する。この場合の縁取り３された部分の窓側に位置する一面側とは、縁取りされた部分に対応する位置の窓側面のネットの部分を示すものとする。
【００１８】
しかして、この発明の網戸１は、被取付窓１０に取付手段７により着脱自在に容易に取付けることができる。例えば、ネット２の縁取り３の一面に雄の面ファスナー７ａが設けられ、被取付窓１０の枠部１３に雌の面ファスナー７ｂが設けられているので、この面ファスナー７ａ、７ｂにより網戸１は、被取付窓１０に容易に取付けることができる。図１では網戸１を窓１０に取付けようとしている様子が示され、図３では網戸１が窓１０に取付けられた状態が示されている。
しかも、この網戸１によれば、既に建築されている建物の窓でも、窓障子１１ａを外側に開放するタイプの開き窓でも採用可能となる。当然に引き戸式の窓障子の窓にも使用できることは言うまでもない。また、網戸１は着脱自在であるので、取外して容易に洗浄することができるばかりでなく、デザインの異なる網戸と容易に取り替えることができる。
さらに、この網戸１は開放手段６、例えばファスナーを備えるスリット５が設けられている。従って、窓障子１１ａを開閉するときは、開閉手段（例えば、ファスナー）６でスリット５を開口し、このスリット５より手を差し入れて図５に示すように窓障子１１ａを開閉することができる。図４にはこの開閉手段６を備えるスリットの部分が拡大して示され、図５にはこのスリット５の使用状態が示されている。
また、飾り４の付いた縁取り３が、ネット２の周縁に面ファスナー等で着脱自在に設けると、網戸１を取外した後に縁取り３をネット２より取外し、網戸１を取外した部分における被取付窓１０の周囲の枠部１３に、取外した飾り４の付いた縁取り３を取り付けてもよい。これにより網戸１の不使用時に窓１０を美しく飾ることができる。この飾り４の付いた縁取り３は、網戸１から取外したものではなく、別途に用意したものでもよいが、網戸１のものを使用すると経済的であるので好ましい。
【実施例２】
【００１９】
図６はこの発明の実施例２を示す網戸の斜視図、図７はこの発明の実施例２の使用状態を示す斜視図、図８はこの発明の実施例２の窓開閉時の使用状態を示す斜視図である。
この実施例２の網戸１は、実施例１の網戸１における開閉手段６を備えるスリット５が設けられていない点及び縁取り３も飾り４が設けられていない点が異なるものであって、あとは前期実施例１の網戸１と同様であるので、同一構成要素には同一符号を付して他の詳細な説明は省略する。
即ち、この実施例２の網戸１は、線条体で形成されたネット２が、被取付窓１０に対応する所定形状に裁断され、このネット２が布体で縁取り３されて構成されており、この縁取り３された部分の窓側に位置する面と被取付窓１０の枠部１３との間に、網戸１を着脱自在に取付可能な取付手段７が備えられ、取付手段７により被取付窓１０に着脱自在に取付可能となっているものであり、他は前記実施例１と同様である。
図７には網戸１を窓１０に取付けた状態が示され、図８には網戸１を窓１０に取付けた状態で窓障子１１ａを開閉する場合が示されている。この実施例２の網戸１は実施例１の網戸１のような開閉手段６を備えるスリット５が無いので、網戸１を窓１０に取り付けた状態で窓障子１１ａを開閉する場合は、図８に示すように網戸１の一部分を取り外し、その部分より手を差し入れて窓障子１１ａの開閉を行う。しかし、この作業も取付手段７が、面ファスナー、ホックボタン等であると容易に着脱できるので容易にできる。
【実施例３】
【００２０】
図９はこの発明の実施例３を示す網戸の斜視図、図１０はこの発明の実施例３の使用状態を示す斜視図である。
この実施例３は、被取付窓１０が左右にスライドする引き戸式の窓障子１１ｂに適用して最適な網戸１を示している。この実施例３の網戸１は、開閉手段６で開閉可能なスリット５が横方向に設けられたものであり、他は前記実施例１と同様であるので、同一構成要素には同一符号を付して他の詳細な説明は省略する。
図１１は開閉手段６で開閉可能なスリット６が飾り１４で目隠しされている場合の一例を示している。
【実施例４】
【００２１】
図１２はこの発明の実施例４を示す網戸の斜視図、図１４はこの発明の実施例４の使用状態を示す斜視図である。
前記実施例３は被取付窓１０の全体に網戸１を取付ける場合であるが、本例は被取付窓１０の開閉する一方の障子窓側だけに網戸１を取付ける場合であり、他は前記実施例と同様であるので、同一構成要素には同一符号を付して他の詳細な説明は省略する。
なお、この実施例４に図示するように網戸１は、上下の２つに分割し、これを開閉手段６、例えばファスナーで連結して構成してもよい。この場合は、ファスナーでの連結部分がスリット５を構成する。この分割は上下の２つに限定されるものではなく任意である。
【００２２】
なお、前記実施例は、この発明を制限するものではなく、この発明は、要旨を逸脱しない範囲において種々の変形が許容される。
また、網戸１の使用時期は、主に、虫の発生が多い夏などの暑い時期であるので、網戸１は、冬などの寒い時期は不要となる。従って、冬などの寒い時期は、この網戸１に変えて遮蔽シートを用意し、この遮蔽シートを網戸を取外した部分に取付けるようにしてもよい。これにより窓は遮蔽シートで遮断され、空気の流通を遮断できるので、外気の侵入が防止できると共に、室内の暖気が逃げるのが防止でき、暖房効果を高めることができるし、暖房費の節約にも貢献できる。この遮蔽シートとしては、網戸１のネット２の部分を、シート（例えば、合成樹脂シート）に代えたものを例示できる。
【図面の簡単な説明】
【００２３】
【図１】この発明の実施例１を示す網戸の斜視図である。
【図２】この発明の実施例１を示す網戸の分解斜視図である。
【図３】この発明の実施例１の使用状態を示す斜視図である。
【図４】この発明の実施例１の使用状態を示す部分拡大斜視図である。
【図５】この発明の実施例１のスリットの使用状態を示す部分斜視図である。
【図６】この発明の実施例２を示す網戸の斜視図である。
【図７】この発明の実施例２の使用状態を示す斜視図である。
【図８】この発明の実施例２の窓開閉時の使用状態を示す斜視図である。
【図９】この発明の実施例３を示す網戸の斜視図である。
【図１０】この発明の実施例３の使用状態を示す斜視図である。
【図１１】開閉手段で開閉可能なスリットが飾りで目隠しされている場合を示す要部斜視図である。
【図１２】この発明の実施例４を示す網戸の斜視図である。
【図１３】この発明の実施例４の使用状態を示す斜視図である。
【図１４】窓構造を説明する斜視図で、（ａ）が片開きの窓を示し、（ｂ）が両開きの窓を示す。
【符号の説明】
【００２４】
１    網戸
２    ネット
３    縁取り
４    飾り（装飾体）
５    スリット
６    開閉手段
７    取付手段
７ａ、７ｂ  面ファスナー
８ａ、８ｂ、８ｃ  接着テープ
１０  被取付窓
１１ａ  屋外側に開放するタイプの窓障子
１１ｂ  左右にスライドする引き戸式の窓障子
１２  取手
１３  窓の枠部
１４  飾り
【図１】
2006125119.tif 000003
【図２】
2006125119.tif 000004
【図３】
2006125119.tif 000005
【図４】
2006125119.tif 000006
【図５】
2006125119.tif 000007
【図６】
2006125119.tif 000008
【図７】
2006125119.tif 000009
【図８】
2006125119.tif 000010
【図９】
2006125119.tif 000011
【図１０】
2006125119.tif 000012
【図１１】
2006125119.tif 000013
【図１２】
2006125119.tif 000014
【図１３】
2006125119.tif 000015
【図１４】
2006125119.tif 000016